(57)【要約】【課題】血圧測定時の血圧計用カフ固定具の巻付長さと、測定時以外の長時間装着時の血圧計用カフ固定具の巻付長さを容易に切り替えることが可能な機能を備える、血圧計用カフ固定具を提供する。【解決手段】第１本体部１０２と、この第１本体部１０２の他端側において、この第１本体部１０２に対して折畳まれるように枢軸部１４２において回動可能に設けられる第２本体部１０３と、この第２本体部１０３の第１本体部１０２が設けられる側とは反対側において、第２本体部１０３に対して折畳まれるように枢軸部１４１において回動可能に設けられる第３本体部１０４とを有し、容易に＜測定時巻付長さ状態＞、＜非測定時巻付長さ状態＞、および＜装着脱着長さ状態＞の３状態の選択を容易に行なうことを可能とする。【選択図】        図３
2004313564.tif 000002
【特許請求の範囲】
【請求項１】
血圧計用カフを、生体に固定するために用いられる血圧計用カフ固定具であって、
生体に巻き付けられるベルト部材と、
前記ベルト部材に連結され、前記ベルト部材とともに当該血圧計用カフ固定具の生体への巻付長さを調節するための巻付長さ調節手段とを備え、
前記巻付長さ調節手段は、
生体に対して血圧を測定するための第１巻付長さに当該血圧計用カフ固定具を調節する測定時巻付長さ状態と、
血圧の非測定状態において、生体に対する装着状態を維持させるため、前記第１巻付長さよりも長い第２巻付長さに当該血圧計用カフ固定具を調節する非測定時巻付長さ状態と、
当該血圧計用カフ固定具を生体に装着および脱着可能とする装着脱着長さ状態と、
の３状態が選択可能に設けられることを特徴とする、血圧計用カフ固定具。
【請求項２】
前記巻付長さ調節手段は、
本体部と、前記本体部に対してスライド可能に設けられるスライド部とを有し、
前記スライド部を前記本体部に収容する方向にスライドさせることにより、前記測定時巻付長さ状態が得られ、
前記スライド部を前記本体部から放出する方向にスライドさせることにより、前記非測定時巻付長さ状態が得られる、請求項１に記載の血圧計用カフ固定具。
【請求項３】
前記巻付長さ調節手段は、前記本体部と前記スライド部との間に、前記測定時巻付長さ状態および前記非測定時巻付長さ状態を選択的に固定するための第１固定機構を有する、請求項２に記載の血圧計用カフ固定具。
【請求項４】
前記本体部は、
第１本体部と、
前記第１本体部の他端側において、前記第１本体部に対して折畳まれるように回動可能に設けられる第２本体部と、
前記第２本体部の前記第１本体部が設けられる側とは反対側において、前記第２本体部に対して折畳まれるように回動可能に設けられる第３本体部と、を有し、
前記第１本体部、前記第２本体部、および前記第３本体部が重ね合わせられるように折畳むことにより前記測定時巻付長さ状態および前記非測定時巻付長さ状態が得られ、
前記第１本体部、前記第２本体部、および前記第３本体部の折畳み状態を解放することにより前記装着脱着状態が得られる、請求項２または３に記載の血圧計用カフ固定具。
【請求項５】
前記第１本体部と前記第３本体部との間に、前記測定時巻付長さ状態および前記非測定時巻付長さ状態を固定するための第２固定機構が設けられる、請求項４に記載の血圧計用カフ固定具。
【発明の詳細な説明】
【０００１】
【発明の属する技術分野】
この発明は、生体に装着して血圧を測定する血圧計に使用する血圧計に関し、より特定的には、血圧計用カフを、生体に固定するために用いられる血圧計用カフ固定具の構造に関する。
【０００２】
【従来の技術】
血圧測定精度を保つには、血管を圧迫するために用いられる圧迫用流体袋を有するカフを測定部位に密着させ、かつ、常に一定の巻付け力で測定する必要がある。そのため、一旦決定したベルト部材の巻付長さ（巻付力）を固定できるようにし、その人に応じたベルト部材の巻付長さを再現させる必要がある。たとえば、下記の特許文献１、特許文献２、および特許文献３に、ベルト部材の巻付長さを再現させる機構を備えた血圧計用カフ固定具が開示されている。
【０００３】
【特許文献１】
特開平１１―３１８号公報
【０００４】
【特許文献２】
特開平１０―３３４９０号公報
【０００５】
【特許文献３】
特開平１０―１２７５８８号公報
【０００６】
【発明が解決しようとする課題】
上記従来の血圧計用カフ固定具においては測定時に際してのみ、ベルト部材の巻付長さの再現性が考慮されている。しかし、長時間装着可能な携帯型の血圧計用では、測定していない場合でも長時間カフを人体に装着しておく必要がある。その際、血圧測定時以外でも測定時の密着した巻付長さを長時間持続させることになると、使用者に対して測定部位への巻付け力で圧迫し続けるという負担が生じる。
【０００７】
そのため測定以外の際には、巻付長さ（巻付け力）を緩める等の微調整を行なう必要が生じる。しかし、再度測定の際には再び元の測定時の巻付長さに調整し直す必要が生じるが、巻付長さを正確に再現させることができない問題が挙げられる。
【０００８】
したがって、この発明は上記課題を解決するためになされたものであり、血圧測定時の血圧計用カフ固定具の巻付長さと、測定時以外の長時間装着時の血圧計用カフ固定具の巻付長さを容易に切り替えることが可能な機能を備える、血圧計用カフ固定具を提供することを目的とする。
【０００９】
【課題を解決するための手段】
この発明に基づいた血圧計用カフ固定具のある局面においては、血圧計用カフを、生体に固定するために用いられる血圧計用カフ固定具であって、以下の構成を備えることを特徴とする。
【００１０】
生体に巻き付けられるベルト部材と、上記ベルト部材に連結され、上記ベルト部材とともに当該血圧計用カフ固定具の生体への巻付長さを調節するための巻付長さ調節手段とを備え、上記巻付長さ調節手段は、生体に対して血圧を測定するための第１巻付長さに当該血圧計用カフ固定具を調節する測定時巻付長さ状態と、血圧の非測定状態において、生体に対する装着状態を維持させるため、上記第１巻付長さよりも長い第２巻付長さに当該血圧計用カフ固定具を調節する非測定時巻付長さ状態と、当該血圧計用カフ固定具を生体に装着および脱着可能とする装着脱着長さ状態との３状態が選択可能に設けられる。
【００１１】
この構成を採用することにより、血圧計の常時装着時である非測定時巻付長さ状態と、血圧計による測定時である測定時巻付長さ状態とを簡単に切り替えることが可能になる。また、一度血圧計用カフ固定具の測定時巻付長さに調整すれば、その後は非測定時巻付長さ状態から測定時巻付長さ状態に切り替えるだけで測定時巻付長さが再現でき、測定ごとに巻付長さを微調節することが不要となる。さらに、測定時巻付長さ状態を容易に再現できることから、毎回の血圧測定時に巻付長さ（巻付力）に再現性を保たせることができ、血圧測定精度の向上が期待できる。
【００１２】
また、容易に非測定時巻付長さ状態を選択することができるため、人体に対する負担が軽減され、長時間締付けられるという拘束感から解放されることが可能になる。
【００１３】
上記発明の好ましい形態として、上記巻付長さ調節手段は、本体部と、上記本体部に対してスライド可能に設けられるスライド部とを有し、上記スライド部を上記本体部に収容する方向にスライドさせることにより、上記測定時巻付長さ状態が得られ、上記スライド部を上記本体部から放出する方向にスライドさせることにより、上記非測定時巻付長さ状態が得られる。
【００１４】
上記発明のさらに好ましい形態として、上記巻付長さ調節手段は、上記本体部と上記スライド部との間に、上記測定時巻付長さ状態および上記非測定時巻付長さ状態を選択的に固定するための第１固定機構を有する。
【００１５】
また、上記発明の好ましい形態として、上記本体部は、第１本体部と、上記第１本体部の他端側において、上記第１本体部に対して折畳まれるように回動可能に設けられる第２本体部と、上記第２本体部の上記第１本体部が設けられる側とは反対側において、上記第２本体部に対して折畳まれるように回動可能に設けられる第３本体部とを有し、上記第１本体部、上記第２本体部、および上記第３本体部が重ね合わせられるように折畳むことにより上記測定時巻付長さ状態および上記非測定時巻付長さ状態が得られ、上記第１本体部、上記第２本体部、および上記第３本体部の折畳み状態を解放することにより装着脱着状態が得られる。
【００１６】
上記発明のさらに好ましい形態として、上記第１本体部と上記第３本体部との間に、上記測定時巻付長さ状態および上記非測定時巻付長さ状態を固定するための第２固定機構が設けられる。
【００１７】
【発明の実施の形態】
以下、この発明に基づいた血圧計用カフ固定具の各実施の形態について、図を参照しながら説明する。なお、以下に示す各実施の形態における血圧計用カフ固定具は、手首式血圧計に用いられる血圧計用カフ固定具であるが、いずれも本発明を適用した一例にすぎず、その他の巻付け型の血圧計に対して広く適用することができるものである。
【００１８】
（実施の形態１）
図１〜図３を参照して、実施の形態１における手首式血圧計用カフ固定具１について説明する。なお、図１は本実施の形態における手首式血圧計用カフ固定具１の測定時巻付長さ状態を示す全体斜視図であり、図２は本実施の形態における手首式血圧計用カフ固定具１の非測定時巻付長さ状態を示す全体斜視図であり、図３は本実施の形態における手首式血圧計用カフ固定具１の装着脱着長さ状態を示す全体斜視図である。なお、手首式血圧計の本体装置の図示は省略する。
【００１９】
（手首式血圧計用カフ固定具１の構造）
図１〜図３を参照して、本実施の形態における手首式血圧計に用いられる手首式血圧計用カフ固定具１は、生体である手首に巻き付けられるベルト部材１０１と、このベルト部材１０１とともに血圧計用カフ固定具１の手首への巻付長さを調節するための巻付長さ調節手段１００Ａとを備えている。ベルト部材１０１は帯状の略リング部材からなる。
【００２０】
［巻付長さ調節手段１００Ａ］
巻付長さ調節手段１００Ａは、図３に示すように、湾曲形状を有する第１本体部１０２と、この第１本体部１０２の他端側において、この第１本体部１０２に対して折畳まれるように枢軸部１４２において回動可能に設けられる、湾曲形状を有する第２本体部１０３と、この第２本体部１０３の第１本体部１０２が設けられる側とは反対側において、第２本体部１０３に対して折畳まれるように枢軸部１４１において回動可能に設けられる第３本体部１０４とを有している。
【００２１】
第３本体部１０４の内側（手首に当接する側）には、手首の血管を圧迫するために用いられる圧迫用流体袋を有するカフ１０５が取付けられている。
【００２２】
第１本体部１０２の一端側には、開口部１０２ａが設けられ、この開口部１０２ａにベルト部材１０１の一端側１０１Ａを挿通させることにより、ベルト部材１０１の一端側１０１Ａを固定するとともにベルト部材１０１の長さ調整を可能としている。
【００２３】
また、第１本体部１０２は、第１本体部１０２、第２本体部１０３、および第３本体部１０４の折畳み状態（図１および図２に示す状態）と、折畳み状態を解放した状態（図３に示す状態）とを選択するための第２固定機構が設けられている。その詳細構造については、後述する。
【００２４】
第３本体部１０４の第２本体部１０３が設けられる側とは反対側には、第３本体部１０４に対してスライド可能に設けられるスライド部１０６が設けられている。このスライド部１０６の一端側には、枢軸部１４０において回動可能にベルト部材１０１の他端１０１Ｂが取り付けられている。スライド部１０６には、手首に対して血圧を測定するための第１巻付長さに血圧計用カフ固定具１を調節する測定時巻付長さ状態と（図１に示す状態）、血圧の非測定状態において、巻付力を測定状態よりも弱くし、かつ手首に対する装着状態を維持させるため、第１巻付長さよりも長い第２巻付長さに血圧計用カフ固定具１を調節する非測定時巻付長さ状態と（図２に示す状態）の２状態を選択的に固定するための第１固定機構が設けられている。
【００２５】
（第１固定機構の構造）
次に、第１固定機構の構造について、図３および図４を参照して説明する。なお、図４は第１固定機構の内部構造を示す部分拡大図である。
【００２６】
第３本体部１０４の一端側には、スライド部１０６をスライド可能に支持するための支持ケース１１２が取付けられている。この支持ケース１１２内には、図４に示すように、ロック解除ボタン１１３、このロック解除ボタン１１３に付勢力を与えるためのコイルバネ１１３ｄが収容されている。また、スライド部１０６には、ロック解除ボタン１１３に係合するロックピン１０６Ｂが設けられている。このロックピン１０６Ｂは、首部１０６ｂと、この首部１０６ｂの上端部において側方に張出す頭部１０６ｃとを有している。
【００２７】
ロック解除ボタン１１３の頭部１１３ａは、支持ケース１１２の側壁から外方に向けて突出するように設けられ、頭部１１３ａの反対側に設けられた突起部１１３ｃにおいてコイルバネ１１３ｄが支持されている。なお、コイルバネ１１３ｄの反対側は、支持ケース１１２の側壁の内面に当接するように設けられている。
【００２８】
ロック解除ボタン１１３の胴部領域１１３ｂには、係合開口領域１１３ｅが設けられ、ロックピン１０６Ｂに設けられた首部１０６ｂがこの係合開口領域１１３ｅに嵌り、ロックピン１０６Ｂに設けられた頭部１０６ｃが、胴部領域１１３ｂの上側に係合する。
【００２９】
上記構成からなる第１固定機構において、通常状態においては、コイルバネ１１３ｄの付勢力によりロック解除ボタン１１３が外側に向けて押されていることから、図４に示す状態のように、ロックピン１０６Ｂがロック解除ボタン１１３の係合開口領域１１３ｅに係合した状態が維持され、スライド部１０６の移動が禁止される（図１に示す、測定時巻付長さ状態）。一方、ロック解除ボタン１１３を内側に向けて押込んだ場合には（図中矢印Ｐ方向）、ロックピン１０６Ｂのロック解除ボタン１１３の係合開口領域１１３ｅへの係合が解放され、スライド部１０６の移動を可能とする（図２に示す、非測定時巻付長さ状態）。
【００３０】
（第２固定機構の構造）
次に、第２固定機構の構造について、図３および図５を参照して説明する。なお、図５は第２固定機構の内部構造を示す部分拡大図である。
【００３１】
第１本体部１０２内には、図５に示すように、一対のロック解除ボタン１１４，１１４、このロック解除ボタン１１４，１１４の相互に付勢力を与えるためのコイルバネ１１４ｅ，１１４ｅが収容されている。また、第３本体部１０４には、ロック解除ボタン１１４，１１４に係合するロックピン１０４Ａが設けられている。このロックピン１０４Ａは、第１本体部１０２、第２本体部１０３、および第３本体部１０４を折畳んだ状態で、第２本体部１０３の設けられた開口部１０３ｈ（後述の図８および図９参照）を通過するように設けられているが、説明の便宜上、第２本体部１０３および開口部１０３ｈの図示は省略している。
【００３２】
ロックピン１０４Ａは、首部１０４ｂと、この首部１０４ｂの上端部において側方に張出す頭部１０４ｃとを有している。
【００３３】
ロック解除ボタン１１４の頭部１１４ａは、第１本体部１０２の側壁から外方に向けて突出するように設けられ、ロック解除ボタン１１４の脚部領域１１４ｃに設けられた突起部１１４ｄにおいてコイルバネ１１４ｅが支持されている。コイルバネ１１４ｄの反対側は、他方のロック解除ボタン１１４の頭部１１４ａの内面に当接するように設けられている。
【００３４】
ロック解除ボタン１１４の胴部領域１１４ｂには、一対のロック解除ボタン１１４によって規定される係合開口領域１１４ｆが設けられ、ロックピン１０４Ａに設けられた首部１０４ｂがこの係合開口領域１１４ｆに嵌り、ロックピン１０４Ａに設けられた頭部１０４ｃが、脚部領域１１４ｃの上側に係合する。
【００３５】
上記構成からなる第２固定機構において、通常状態においては、コイルバネ１１４ｅの付勢力により双方のロック解除ボタン１１４，１１４が外側に向けて押されていることから、図５に示す状態のように、ロックピン１０４Ａがロック解除ボタン１１４の係合開口領域１１４ｆに係合した状態が維持され、第１本体部１０２、第２本体部１０３、および第３本体部１０４の折畳んだ状態が維持される（図１および図２に示す、測定時巻付長さ状態および非測定時巻付長さ状態）。一方、ロック解除ボタン１１４，１１４の双方を内側に向けて押込んだ場合には（図中矢印Ｐ方向）、ロックピン１０４Ａのロック解除ボタン１１４，１１４の係合開口領域１１４ｆへの係合が解放され、第１本体部１０２、第２本体部１０３、および第３本体部１０４の折畳んだ状態が解放される（図３、装着脱着長さ状態）。
【００３６】
［操作手順］
上記構造からなる手首式血圧計用カフ固定具１を用いた場合の操作手順について、図１〜図３を参照して説明する。
【００３７】
＜測定時巻付長さ状態＞
まず、第２固定機構のロック解除ボタン１１４，１１４を押して、手首式血圧計用カフ固定具１を図３に示す装着脱着長さ状態にして、手首に手首式血圧計用カフ固定具１を嵌める。
【００３８】
カフ１０５を測定位置に合わせ、開口部１０２ａにおいてベルト部材１０１の長さを調節するとともに、第１本体部１０２、第２本体部１０３、および第３本体部１０４を折畳み状態とする。すると、第２固定機構により第１本体部１０２、第２本体部１０３、および第３本体部１０４は折畳み状態に固定される。このとき、スライド部１０６は支持ケース１１２内に収容された状態となるようにベルト部材１０１の長さを調節する。これにより、図１に示す測定時巻付長さ状態となる（第１巻付長さ）。その後、手首式血圧計の本体装置を用いて血圧を測定する。
【００３９】
＜非測定時巻付長さ状態＞
次に、第１固定機構によりロック解除ボタン１１３を操作して、スライド部１０６のロック状態を解除して、図２に示すようにスライド部１０６を第３本体部１０４に設けられた支持ケース１１２から放出する方向にスライドさせる。これにより、上記第１巻付長さよりも長い巻付長さとなり、図２に示す非測定時巻付長さ状態となる（第２巻付長さ）。その結果、手首式血圧計用カフ固定具１を装着したまま、手首部の拘束感を解放することができる。
【００４０】
なお、再度血圧を測定する場合は、スライド部１０６を第３本体部１０４に設けられた支持ケース１１２内に収容する方向にスライドさせることにより、当初設定した測定時巻付長さ状態における第１巻付長さを容易に再現することが可能になる。
【００４１】
＜装着脱着長さ状態＞
手首式血圧計用カフ固定具１を手首から取り外す場合には、第２固定機構のロック解除ボタン１１４を操作して、第２固定機構による第１本体部１０２、第２本体部１０３、および第３本体部１０４の折畳み状態を、図３に示すように解放させる。これにより、容易に手首式血圧計用カフ固定具１を手首部から容易に取り外すことが可能になる。
【００４２】
なお、再度手首式血圧計用カフ固定具１を手首部に装着する場合は、第１本体部１０２、第２本体部１０３、および第３本体部１０４を折畳み状態にすることで、容易に手首式血圧計用カフ固定具１を手首部に装着することができる。この場合、すでにベルト部材１０１の長さ調節、すなわち手首式血圧計用カフ固定具１の長さ調節は実施済みであるため、容易に＜測定時巻付長さ状態＞および＜非測定時巻付長さ状態＞を再現することが可能となる。
【００４３】
［作用・効果］
以上、本実施の形態における手首式血圧計用カフ固定具１においては、血圧計の常時装着時である非測定時巻付長さ状態と、血圧計による測定時である測定時巻付長さ状態とを、第１固定機構を用いて簡単に切り替えることができる。また、一度血圧計用カフ固定具１の測定時巻付長さを固定すれば、その後の測定時巻付長さの調節が不要となる。さらに、第１固定機構を用いて測定時巻付長さ状態を容易に再現できることから、毎回の血圧測定時に巻付長さ（巻付力）に再現性を保たせることができ、血圧測定精度の向上を図ることができる。
【００４４】
また、容易に非測定時巻付長さ状態を選択することができるため、人体に対する負担が軽減され、長時間締付けられるという拘束感から解放されることが可能になる。さらに、血圧計の装着脱着長さ状態とそれ以外の巻付長さ状態（測定時および非測定時）とを、第２固定機構を用いて簡単に切り替えることができ、血圧計の装着脱着が容易に実施できる。
【００４５】
（実施の形態２）
次に、図６〜図８を参照して、実施の形態２における手首式血圧計用カフ固定具２について説明する。本実施の形態における手首式血圧計用カフ固定具２は、ベルト部材１０１と、このベルト部材１０１とともに血圧計用カフ固定具２の手首への巻付長さを調節するための巻付長さ調節手段１００Ｂとを備えており、実施の形態１における手首式血圧計用カフ固定具１との相違点は、巻付長さ調節手段１００Ｂの構造にある。よって、ここでは巻付長さ調節手段１００Ｂの構造について詳細に説明する。また、巻付長さ調節手段１００Ａの構成と同一部分については、同一の参照符号を付し重複する説明は繰返さないこととする。
【００４６】
なお、図６は本実施の形態における手首式血圧計用カフ固定具２の測定時巻付長さ状態を示す巻付長さ調節手段１００Ｂの縦断面図であり、図７は本実施の形態における手首式血圧計用カフ固定具２の非測定時巻付長さ状態を示す巻付長さ調節手段１００Ｂの縦断面図であり、図８は本実施の形態における手首式血圧計用カフ固定具２の装着脱着長さ状態を示す巻付長さ調節手段１００Ｂの縦断面図である。なお、手首式血圧計の本体装置の図示は省略する。
【００４７】
［巻付長さ調節手段１００Ｂ］
本実施の形態における巻付長さ調節手段１００Ｂは、図８に示すように、湾曲形状を有する第１本体部１０２と、この第１本体部１０２の他端側において、この第１本体部１０２に対して折畳まれるように枢軸部１４２において回動可能に設けられる、湾曲形状を有する第２本体部１０３と、この第２本体部１０３の第１本体部１０２が設けられる側とは反対側において、第２本体部１０３に対して折畳まれるように枢軸部１４１において回動可能に設けられる第３本体部１０４とを有している。
【００４８】
第３本体部１０４の内側（手首に当接する側）には、手首の血管を圧迫するために用いられる圧迫用流体袋を有するカフ１０５が取付けられている。
【００４９】
第１本体部１０２の一端側においては、この第１本体部１０２に対してスライド可能なスライド部２０１が収容されている。スライド部２０１の一端側と第１本体部１０２との間にはコイルバネ２０３が連結されている。また、スライド部２０１の他端側には、開口部１０２ａを有する連結部材１０１Ｃが、枢軸部１４３において回動可能に連結されている。この開口部１０２ａにベルト部材１０１の一端側１０１Ａを挿通させることにより、ベルト部材１０１の一端側１０１Ａを固定するとともにベルト部材１０１の長さ調整を可能としている。
【００５０】
スライド部２０１は、第１固定機構を構成するロック解除ボタン１１３が設けられ、また、スライド部２０１のスライド位置を固定するため、第２本体部１０３に設けられた係合孔１０３ａ，１０３ｂに弾性的に係合するための係合舌状片２０２が設けられている。
【００５１】
また、第１本体部１０２の枢軸部１４２とコイルバネ２０３との間の領域には、第２固定機構を構成するロック解除ボタン１１４，１１４が設けられている。また、第２本体部１０３には上記係合孔１０３ａ，１０３ｂが設けられるとともに、第１固定機構を構成するロックピン１０６Ｂが、枢軸部１４１の近傍に設けられ、第２固定機構を構成する開口部１０３ｈが、枢軸部１４２の近傍に設けられている。また、第３本体部１０４には、第２固定機構を構成するロックピン１０４Ｂが、枢軸部１４０の近傍に設けられている。
【００５２】
なお、第１固定機構および第２固定機構の詳細構造は、上記実施の形態１と同様であるため、重複する説明は切り返さないこととする。
【００５３】
［操作手順］
上記構造からなる手首式血圧計用カフ固定具２を用いた場合の操作手順について図６〜図８を参照して説明する。
【００５４】
＜測定時巻付長さ状態＞
まず、第２固定機構のロック解除ボタン１１４，１１４を押して、手首式血圧計用カフ固定具２を図８に示す装着脱着長さ状態にして、手首に手首式血圧計用カフ固定具２を嵌める。このとき、スライド部２０１はコイルバネ２０３の付勢力により第１本体部１０２に収容された状態となる。
【００５５】
カフ１０５を測定位置に合わせ、開口部１０２ａにおいてベルト部材１０１の長さを調節するとともに、第１本体部１０２、第２本体部１０３、および第３本体部１０４を折畳み状態とする。すると、第２固定機構により第１本体部１０２、第２本体部１０３、および第３本体部１０４は折畳み状態に固定される。このとき、係合舌状片２０２は、第２本体部１０３に設けられた係合孔１０３ａに係合する。これにより、図６に示す測定時巻付長さ状態となる（第１巻付長さ）。その後、手首式血圧計の本体装置を用いて血圧を測定する。
【００５６】
＜非測定時巻付長さ状態＞
次に、第１固定機構によりロック解除ボタン１１３を操作して、スライド部２０１のロック状態を解除して、図７に示すように、スライド部２０１を第１本体部１０２から放出する方向にスライドさせる。このとき、係合舌状片２０２は、第２本体部１０３に設けられた係合孔１０３ｂに係合する。これにより、上記第１巻付長さよりも長い巻付長さとなり、図７に示す非測定時巻付長さ状態となる（第２巻付長さ）。その結果、手首式血圧計用カフ固定具２を装着したまま、手首部の拘束感を解放することができる。
【００５７】
なお、再度血圧を測定する場合は、スライド部２０１を第１本体部１０２内に収容する方向にスライドさせることにより、当初設定した測定時巻付長さ状態における第１巻付長さを容易に再現することが可能になる。
【００５８】
＜装着脱着長さ状態＞
手首式血圧計用カフ固定具２を手首から取り外す場合には、第２固定機構によりロック解除ボタン１１４を操作して、第１本体部１０２、第２本体部１０３、および第３本体部１０４の折畳み状態を、図８に示すように解放させる。これにより、容易に手首式血圧計用カフ固定具２を手首部から容易に取り外すことが可能になる。このとき、係合舌状片２０２の第２本体部１０３に設けられた係合孔１０３ａ，１０３ｂへの係合は解除されるため、スライド部２０１はコイルバネ２０３の付勢力により第１本体部１０２に最も収容された状態となる。
【００５９】
なお、再度手首式血圧計用カフ固定具２を手首部に装着する場合は、第１本体部１０２、第２本体部１０３、および第３本体部１０４を折畳み状態にすることで、容易に手首式血圧計用カフ固定具１を手首部に装着することができる。また、スライド部２０１は第１本体部１０２に最も収容された状態にあるため装着することにより、瞬時に＜測定時巻付長さ状態＞を再現することが可能となる。
【００６０】
［作用・効果］
以上、本実施の形態における手首式血圧計用カフ固定具２においても、上記実施の形態１における手首式血圧計用カフ固定具１と同様の作用効果を得ることができる。
【００６１】
さらに、本本実施の形態の場合には、手首式血圧計用カフ固定具２を＜装着脱着長さ状態＞にした場合には、スライド部２０１は第１本体部１０２に最も収容された状態となるため、手首式血圧計用カフ固定具２を手首に装着した段階では、＜測定時巻付長さ状態＞となるため、血圧測定時に＜非測定時巻付長さ状態＞から＜測定時巻付長さ状態＞への操作忘れを回避することが可能となる。
【００６２】
（実施の形態３）
次に、図９〜図１４を参照して、実施の形態３における手首式血圧計用カフ固定具３について説明する。本実施の形態における手首式血圧計用カフ固定具３は、ベルト部材１０１と、このベルト部材１０１とともに血圧計用カフ固定具３の手首への巻付長さを調節するための巻付長さ調節手段１００Ｃとを備えており、実施の形態１および２における手首式血圧計用カフ固定具１，２との相違点は、巻付長さ調節手段１００Ｃの構造にある。よって、ここでは、巻付長さ調節手段１００Ｃの構造について詳細に説明する。また、巻付長さ調節手段１００Ａ，１００Ｂの構成と同一部分については、同一の参照符号を付し重複する説明は繰返さないこととする。
【００６３】
なお、図９は本実施の形態における手首式血圧計用カフ固定具３の測定時巻付長さ状態を示す巻付長さ調節手段１００Ｃの縦断面図であり、図１０は本実施の形態における手首式血圧計用カフ固定具３の非測定時巻付長さ状態を示す巻付長さ調節手段１００Ｃの縦断面図であり、図１１は本実施の形態における手首式血圧計用カフ固定具３の装着脱着長さ状態を示す巻付長さ調節手段１００Ｃの縦断面図である。また、図１２は第１固定機構の内部構造を示す第１部分拡大図であり、図１３は第１固定機構の内部構造を示す第２部分拡大図である。なお、手首式血圧計の本体装置の図示は省略する。
【００６４】
［巻付長さ調節手段１００Ｃ］
本実施の形態における巻付長さ調節手段１００Ｃは、図１１に示すように、基本的な構成は、上記実施の形態２の巻付長さ調節手段１００Ｂと同じである。相違点は、第１固定機構の内部構造にある。ここで、以下、図１２および図１３を参照してこの第１固定機構の内部構造について説明する。
【００６５】
（第１固定機構の構造）
第１本体部１０２の内部にスライド可能に設けられたスライド部２２１には、下方に向かって傾斜するように延びる係合舌状片２２３が設けられている。また、第２本体部１０３の表面には、第２本体部１０３の長尺方向に対して交差する方向に延びる凹凸状部領域１０３Ｃが、長尺方向と交差する方向に平行に複数設けられ、上記係合舌状片２２３がこの凹凸状部領域１０３Ｃに対して弾性的に係合するように設けられている。
【００６６】
また、スライド部２２１の内部には、凹凸状部領域１０３Ｃの延びる方向に摺動可能なロック解除ボタン２２２が設けられ、このロック解除ボタン２２２の頭部２２２ａは、スライド部２２１の側壁に設けられた開口部２２１Ａから外方に向けて露出するように配置されている。また、ロック解除ボタン２２２の頭部２２２ａの反対側とスライド部２２１の側壁との間にはコイルバネ２２４が配設され、このコイルバネ２２４によりロック解除ボタン２２２の頭部２２２ａが外方に突出する方向に付勢されている。また、ロック解除ボタン２２２には、コイルバネ２２４側に向かうにしたがって徐々にその幅が狭くなるテーパ側壁２２５が設けられ、このテーパ側壁２２５が係合舌状片２２３の下面側に当接するように配設されている。
【００６７】
上記構成からなる第１固定機構において、通常状態においては、図１２に示すように係合舌状片２２３が凹凸状部領域１０３Ｃに弾性的に係合することにより、スライド部２２１のロック状態が維持される。一方、図１３に示すように、ロック解除ボタン２２２の頭部２２２ａを、コイルバネ２２４の付勢力に対抗して内方（図中Ｐ方向）に押込むことにより、テーパ側壁２２５も図中Ｐ方向に移動する。その結果、テーパ側壁２２５に当接する係合舌状片２２３が上方（図中Ｕ方向）に押し上げられることにより、係合舌状片２２３の凹凸状部領域１０３Ｃへの係合が解放され、スライド部２２１のロック状態が解放されることになる。
【００６８】
なお、第２固定機構の詳細構造については、上記実施の形態１および２と同様であるため、重複する説明は切り返さないこととする。
【００６９】
［操作手順］
上記構造からなる手首式血圧計用カフ固定具３を用いた場合の操作手順について図９〜図１１を参照して説明する。
【００７０】
＜測定時巻付長さ状態＞
まず、第２固定機構のロック解除ボタン１１４，１１４を押して、手首式血圧計用カフ固定具３を図１１に示す装着脱着長さ状態にして、手首に手首式血圧計用カフ固定具３を嵌める。このとき、係合舌状片２２３は凹凸状部領域１０３Ｃには当接していないため、スライド部２２１はコイルバネ２０３の付勢力により第１本体部１０２に最も収容された状態となる。
【００７１】
カフ１０５を測定位置に合わせ、開口部１０２ａにおいてベルト部材１０１の長さを調節するとともに、第１本体部１０２、第２本体部１０３、および第３本体部１０４を折畳み状態とする。すると、第２固定機構により第１本体部１０２、第２本体部１０３、および第３本体部１０４は折畳み状態に固定される。このとき、係合舌状片２２３は、第２本体部１０３に設けられた凹凸状部領域１０３Ｃに係合する。これにより、図９に示す測定時巻付長さ状態となる（第１巻付長さ）。なお、この場合において、手首式血圧計用カフ固定具３の巻付長さが適切でない場合が生じることも考えられる。この場合には、ロック解除ボタン２２２を押込み、係合舌状片２２３の凹凸状部領域１０３Ｃへの係合を解放させることにより、スライド部２２１の微調整移動が可能となる。その後、手首式血圧計の本体装置を用いて血圧を測定する。
【００７２】
＜非測定時巻付長さ状態＞
次に、第１固定機構によりロック解除ボタン２２２を操作して、スライド部２２１のロック状態を解除して、図１０に示すように、スライド部２２１を第１本体部１０２から放出する方向にスライドさせる。その後、係合舌状片２２３は、第２本体部１０３に設けられた凹凸状部領域１０３Ｃに係合する。これにより、上記第１巻付長さよりも長い巻付け長さとなり、図１０に示す非測定時巻付長さ状態となる（第２巻付長さ）。その結果、手首式血圧計用カフ固定具３を装着したまま、手首部の拘束感を解放することができる。
【００７３】
なお、再度血圧を測定する場合は、スライド部２２１を第１本体部１０２内に収容する方向にスライドさせることにより、当初設定した測定時巻付長さ状態における第１巻付長さを容易に再現することが可能になる。
【００７４】
＜装着脱着長さ状態＞
手首式血圧計用カフ固定具３を手首から取り外す場合には、第２固定機構によりロック解除ボタン１１４を操作して、第１本体部１０２、第２本体部１０３、および第３本体部１０４の折畳み状態を、図１１に示すように解放させる。これにより、容易に手首式血圧計用カフ固定具３を手首部から容易に取り外すことが可能になる。このとき、係合舌状片２２３の第２本体部１０３に設けられた凹凸状部領域１０３Ｃへの係合は解除されるため、スライド部２２１はコイルバネ２０３の付勢力により第１本体部１０２に最も収容された状態となる。
【００７５】
なお、再度手首式血圧計用カフ固定具３を手首部に装着する場合は、第１本体部１０２、第２本体部１０３、および第３本体部１０４を折畳み状態にすることで、容易に手首式血圧計用カフ固定具３を手首部に装着することができる。
【００７６】
［作用・効果］
以上、本実施の形態における手首式血圧計用カフ固定具３においても、上記実施の形態１および２における手首式血圧計用カフ固定具１，２と同様の作用効果を得ることができる。
【００７７】
さらに、本実施の形態の場合には、手首式血圧計用カフ固定具３を＜測定時巻付長さ状態＞にした場合、係合舌状片２２３の凹凸状部領域１０３Ｃへの係合位置の微調節を、手首サイズに応じてスライド部２２１が一定の巻付力を得ながら連続移動させることが可能であるため、人体サイズが多少変わっても一定の巻付強さへの調節を容易に実現することが可能になる。
【００７８】
（実施の形態４）
次に、図１４〜図２１を参照して、実施の形態４における手首式血圧計用カフ固定具４について説明する。本実施の形態における手首式血圧計用カフ固定具４は、ベルト部材１０１と、このベルト部材１０１とともに手首式血圧計用カフ固定具４の手首への巻付長さを調節するための巻付長さ調節手段１００Ｄとを備えており、実施の形態１、２および３における手首式血圧計用カフ固定具１、２および３との相違点は、巻付長さ調節手段１００Ｄの構造にある。よって、ここでは、巻付長さ調節手段１００Ｄの構造について詳細に説明する。また、巻付長さ調節手段１００Ａ、１００Ｂおよび１００Ｃの構成と同一部分については、同一の参照符号を付し重複する説明は繰り返さないこととする。なお、ベルト部材１０１には、枢軸部４０１を介して手首式血圧計の本体装置４１０が取付けられている。
【００７９】
図１４は本実施の形態における手首式血圧計用カフ固定具４の測定時巻付長さ状態を示す全体斜視図であり、図１５は本実施の形態における手首式血圧計用カフ固定具４の測定時巻付長さ状態を示す縦断面図であり、図１６は本実施の形態における手首式血圧計用カフ固定具４の非測定時巻付長さ状態を示す全体斜視図であり、図１７は本実施の形態における手首式血圧計用カフ固定具４の非測定時巻付長さ状態を示す縦断面図であり、図１８は本実施の形態における手首式血圧計用カフ固定具４の非測定時巻付長さの調整時を示す全体斜視図であり、図１９は本実施の形態における手首式血圧計用カフ固定具４の非測定時巻付長さの調整時を示す縦断面図であり、図２０は本実施の形態における手首式血圧計用カフ固定具４の装着脱着長さ状態を示す全体斜視図であり、図２１は本実施の形態における手首式血圧計用カフ固定具４の装着脱着長さ状態を示す縦断面図である。
【００８０】
［巻付長さ調節手段１００Ｄ］
本実施の形態における巻付長さ調節手段１００Ｄの基本的な構成は、上記実施の形態３の巻付長さ調節手段１００Ｃと同じである。相違点は、第１固定機構および第２固定機構の内部構造にある。
【００８１】
（第１固定機構の構造）
図１８および図１９に示すように、第１本体部１０２の内部にスライド可能に設けられたスライド部２３１には、係合舌状片２３２が設けられている。この係合舌状片２３２の先端部には、係合突起２３３が設けられている。また、第２本体部１０３の表面には、第２本体部１０３の長尺方向に対して交差する方向に延びる凹凸状部領域１０３Ｄが、長尺方向と交差する方向に平行に複数設けられ、上記係合突起２３３がこの凹凸状部領域１０３Ｄに対して弾性的に係合するように設けられている。一方、スライド部２３１の他端側には、開口部１０２ａを有する連結部材１０１Ｃが、枢軸部１４３において回動可能に連結されている。この開口部１０２ａにベルト部材１０１の一端側１０１Ａを挿通させることにより、ベルト部材１０１の一端側１０１Ａを固定するとともにベルト部材１０１の長さ調整を可能としている。
【００８２】
第１本体部１０２とスライド部２３１との間の空間には、圧縮コイルバネ２４１が設けられ、この圧縮コイルバネ２４１の一端は、スライド部２３１の一端側において第２本体部１０３側に設けられた壁面２３４に接し、他端は第１本体部１０２の枢軸部１４２とは反対側に設けられたピン１０２ｄに接するように配設されている。
【００８３】
上記構成からなる第１固定機構において、通常状態においては、図１４および図１５に示すように係合突起２３３が凹凸状部領域１０３Ｄに弾性的に係合することにより、スライド部２３１のロック状態が維持される。一方、図２０および図２１に示すように、第１本体部１０２、第２本体部１０３および第３本体部１０４の折畳み状態を解放させることにより、係合突起２３３の凹凸状部領域１０３Ｄへの係合が解放され、スライド部２３１のロック状態が解放されることになる。この状態では、スライド部材２３１は壁面２３４が第１本体部１０２の枢軸部１４２に接触する位置、すなわち第１本体部１０２内の最も奥まで収容された位置から、圧縮コイルバネ２４１が最も圧縮される状態まで第１本体部１０２より放出された位置までスライド可能となる。
【００８４】
（第２固定機構の構造）
次に、第２固定機構の構造について説明する。
【００８５】
図１８および図１９に示すように、第３本体部１０４には、枢軸部１４０の近傍に係合舌状片１０４Ｄが設けられている。この係合舌状片１０４Ｄは実施の形態１、２および３におけるロックピン１０４Ａと同様に、第１本体部１０２、第２本体部１０３、および第３本体部１０４を折畳んだ状態で、第２本体部１０３の設けられた開口部１０３ｈを通過し、第１本体部１０２の枢軸部１４２の側面と係合するように設けられている。
【００８６】
また、第３本体部１０４の枢軸部１４１側の両側面には、第１本体部１０２、第２本体部１０３、および第３本体部１０４を折畳んだ状態で、その内面側において第２本体部１０３の側面を弾性的に抱きかかえるとともに、その外面側において、第１本体部１０２に設けられる側壁１０２ｈの内面に対して弾性的に当接する一対の係合立壁１０４Ｅが設けられている。
【００８７】
上記構成からなる第２固定機構において、通常状態においては、係合舌状片１０４Ｄと第１本体部１０２の枢軸部１４２との係合、および、係合立壁１０４Ｅの第２本体部１０３の側面、および第１本体部１０２の側壁１０２ｈとの当接により、第１本体部１０２、第２本体部１０３、および第３本体部１０４の折畳んだ状態が維持される（図１４〜図１７に示す、測定時巻付長さ状態および非測定時巻付長さ状態）。
【００８８】
一方、第１本体部１０２の枢軸部１４２側の端部１０２ｅ等を外側に引っ張った場合には（図中矢印Ｐ方向）、係合舌状片１０４Ｄと第１本体部１０２の枢軸部１４２との係合、および、係合立壁１０４Ｅの第２本体部１０３の側面、および第１本体部１０２の側壁１０２ｈとの当接が解放され、第１本体部１０２、第２本体部１０３、および第３本体部１０４の折畳んだ状態が解放される（図２０および図２１に示す、装着脱着長さ状態）。
【００８９】
［操作手順］
上記構造からなる手首式血圧計用カフ固定具４を用いた場合の操作手順について図１４〜図２１を参照して説明する。
【００９０】
＜測定時巻付長さ状態＞
まず、第１本体部１０２の枢軸部１４２側の端部１０２ｅ等を外側に引っ張って、手首式血圧計用カフ固定具４を図２０および図２１に示す装着脱着長さ状態にして、手首に手首式血圧計用カフ固定具４を嵌める。このとき、係合突起２３３は凹凸状部領域１０３Ｄには当接していないため、スライド部２３１は圧縮コイルバネ２４１の付勢力により第１本体部１０２に最も収容された状態となる。
【００９１】
カフ１０５を測定位置に合わせ、開口部１０２ａにおいてベルト部材１０１の長さを調節するとともに、第１本体部１０２、第２本体部１０３、および第３本体部１０４を折畳み状態とする。すると、第２固定機構により第１本体部１０２、第２本体部１０３、および第３本体部１０４は折畳み状態に固定される。このとき、係合突起２３３は、第２本体部１０３に設けられた凹凸状部領域１０３Ｄに係合する。これにより、図１４および図１５に示す測定時巻付長さ状態となる（第１巻付長さ）。このとき、係合突起２３３と第２本体部１０３に設けられた凹凸状部領域１０３Ｄとの係合位置は、ベルト部材１０１の長さ調整結果と圧縮コイルバネ２４１の付勢力により決定される。その後、手首式血圧計の本体装置４１０を用いて血圧を測定する。
【００９２】
＜非測定時巻付長さ状態＞
次に、第１本体部１０２の枢軸部１４２側の端部１０２ｅ等を外側に引っ張って、第２固定機構である係合舌状片１０４Ｄと第１本体部１０２の枢軸部１４２との係合を一旦解放する（図１８および図１９に示す状態）。すると、第１本体部１０２、第２本体部１０３、および第３本体部１０４の折畳み状態は解放され、第１固定機構である係合舌状片２３３と第２本体部１０３に設けられた凹凸状部領域１０３Ｄとの係合が解放される。なお、この状態では、係合立壁１０４Ｅの側壁１０２ｈとの係合は開放されるが、係合立壁１０４Ｅの第２本体部１０３の側面への弾性的係合は維持されているため、第２本体部１０３と第３本体部１０４とが大きく開放状態になることはない。
【００９３】
この状態でスライド部２３１を第１本体部１０２から放出する方向に適宜量スライドさせ、そのまま第１本体部１０２、第２本体部１０３、および第３本体部１０４を折畳み状態とする。すると、第２固定機構により第１本体部１０２、第２本体部１０３、および第３本体部１０４は折畳み状態に固定される。このとき、係合舌状片２３３は第２本体部１０３に設けられた凹凸状部領域１０３Ｄに係合するが、測定時巻付長さ状態に比べてスライド部２３１をスライドさせた位置で係合する。これにより、上記第１巻付長さよりも長い巻付け長さとなり、図１６および図１７に示す非測定時巻付長さ状態となる（第２巻付長さ）。その結果、手首式血圧計用カフ固定具４を装着したまま、手首部の拘束感を解放することができる。
【００９４】
なお、再度血圧を測定する場合は、再度第１本体部１０２の枢軸部１４２側の端部１０２ｅ等を外側に引っ張って、第２固定機構である係合舌状片１０４Ｄと第１本体部１０２の枢軸部１４２との係合を解放し、スライド部２３１をスライドさせずに第１本体部１０２、第２本体部１０３、および第３本体部１０４を折畳み状態とすることにより、当初設定した測定時巻付長さ状態における第１巻付長さを容易に再現することが可能になる。
【００９５】
＜装着脱着長さ状態＞
手首式血圧計用カフ固定具４を手首から取り外す場合には、第１本体部１０２の枢軸部１４２側の端部１０２ｅ等を外側に引張り、第２固定機構である係合舌状片１０４Ｄと第１本体部１０２の枢軸部１４２との係合、および、係合立壁１０４Ｅの第２本体部１０３の側面と第１本体部１０２の側壁１０２ｈへの係合を解放することにより、第１本体部１０２、第２本体部１０３、および第３本体部１０４の折畳み状態を、図２０および図２１に示すように解放させる。これにより、容易に手首式血圧計用カフ固定具４を手首部から容易に取り外すことが可能になる。このとき、係合舌状片２３３の第２本体部１０３に設けられた凹凸状部領域１０３Ｃへの係合は解除されるため、スライド部２３１は圧縮コイルバネ２４１の付勢力により第１本体部１０２に最も収容された状態となる。
【００９６】
なお、再度手首式血圧計用カフ固定具４を手首部に装着する場合は、第１本体部１０２、第２本体部１０３、および第３本体部１０４を折畳み状態にすることで、容易に手首式血圧計用カフ固定具４を手首部に装着することができる。
【００９７】
［作用・効果］
以上、本実施の形態における手首式血圧計用カフ固定具４においても、上記実施の形態１、２および３における手首式血圧計用カフ固定具１、２および３と同様の作用効果を得ることができる。
【００９８】
さらに、本実施の形態の場合には、第１固定機構および第２固定機構にボタンによるロックピンの係合、解放を切り替える機構を備えていないため、手首式血圧計用カフ固定具４の構成が極めて簡素化することを可能としている。
【００９９】
なお、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【０１００】
【発明の効果】
この発明に基いた血圧計用カフ固定具によれば、容易に＜測定時巻付長さ状態＞、＜非測定時巻付長さ状態＞、および＜装着脱着長さ状態＞の３状態の選択を容易に行なうことができるため、血圧計用カフ固定具の常時装着時における人体に対する負担が軽減され、長時間締付けられるという拘束感から解放されることが可能になる。また、血圧の測定においても、巻付長さを正確に再現することができため、血圧測定の信頼性の向上を図ることが可能になる。
【図面の簡単な説明】
【図１】実施の形態１における手首式血圧計用カフ固定具１の測定時巻付長さ状態を示す全体斜視図である。
【図２】実施の形態１における手首式血圧計用カフ固定具１の非測定時巻付長さ状態を示す全体斜視図である。
【図３】実施の形態１における手首式血圧計用カフ固定具１の装着脱着長さ状態を示す全体斜視図である。
【図４】実施の形態１における第１固定機構の内部構造を示す部分拡大図である。
【図５】実施の形態１における第２固定機構の内部構造を示す部分拡大図である。である。
【図６】実施の形態２における手首式血圧計用カフ固定具２の測定時巻付長さ状態を示す巻付長さ調節手段１００Ｂの縦断面図である。
【図７】実施の形態２における手首式血圧計用カフ固定具２の非測定時巻付長さ状態を示す巻付長さ調節手段１００Ｂの縦断面図である。
【図８】実施の形態２における手首式血圧計用カフ固定具２の装着脱着長さ状態を示す巻付長さ調節手段１００Ｂの縦断面図である。
【図９】実施の形態３における手首式血圧計用カフ固定具３の測定時巻付長さ状態を示す巻付長さ調節手段１００Ｃの縦断面図である。
【図１０】実施の形態３における手首式血圧計用カフ固定具３の非測定時巻付長さ状態を示す巻付長さ調節手段１００Ｃの縦断面図である。
【図１１】実施の形態３における手首式血圧計用カフ固定具３の装着脱着長さ状態を示す巻付長さ調節手段１００Ｃの縦断面図である。
【図１２】実施の形態３における第１固定機構の内部構造を示す第１部分拡大図である。
【図１３】実施の形態３における第１固定機構の内部構造を示す第２部分拡大図である。
【図１４】実施の形態４における手首式血圧計用カフ固定具の測定時巻付長さ状態を示す全体斜視図である。
【図１５】実施の形態４における手首式血圧計用カフ固定具の測定時巻付長さ状態を示す縦断面図である。
【図１６】実施の形態４における手首式血圧計用カフ固定具の非測定時巻付長さ状態を示す全体斜視図である。
【図１７】実施の形態４における手首式血圧計用カフ固定具の非測定時巻付長さ状態を示す縦断面図である。
【図１８】実施の形態４における手首式血圧計用カフ固定具の非測定時巻付長さの調整時を示す全体斜視図である。
【図１９】実施の形態４における手首式血圧計用カフ固定具の非測定時巻付長さの調整時を示す縦断面図である。
【図２０】本実施の形態４における手首式血圧計用カフ固定具の装着脱着長さ状態を示す全体斜視図である。
【図２１】本実施の形態４における手首式血圧計用カフ固定具の装着脱着長さ状態を示す縦断面図である。
【符号の説明】
１，２，３  手首式血圧計用カフ固定具、１０１  ベルト部材、１００Ａ，１００Ｂ，１００Ｃ，１００Ｄ  巻付長さ調節手段、１０１Ａ  一端側、１０２  第１本体部、１０２ａ  開口部、１０２ｄ  ピン、１０２ｅ  端部、１０３  第２本体部、１０３Ｃ  凹凸状部領域、１０３ａ，１０３ｂ  係合孔、１０３ｈ，２２１Ａ  開口部、１０４  第３本体部、１０４Ａ，１０６Ｂ  ロックピン、１０４ｂ，１０６ｂ  首部、１０４ｃ，１０６ｃ，１１３ａ，１１４ａ，２２２ａ頭部、１０４ｄ，２０２，２２３  係合舌状片、２３３  係合突起、１０４Ｅ係合立壁、１０５  カフ、１０６，２０１，２２１，２３１  スライド部、１１２  支持ケース、１１３  ロック解除ボタン、１１３ｂ  胴部領域、１１３ｃ突起部、１１３ｄ，１１４ｅ，２０３，２２４  コイルバネ、１１３ｅ  係合開口領域、１１４，１１４，２２２  ロック解除ボタン、１１４ｂ  胴部領域、１１４ｃ  脚部領域、１１４ｄ  突起部、１１４ｆ  係合開口領域、１４０，１４１，１４２  枢軸部、２２５  テーパ側壁、２３４  壁面、２４１  圧縮コイルバネ、４１０  本体装置。
【図１】
2004313564.tif 000003
【図２】
2004313564.tif 000004
【図３】
2004313564.tif 000005
【図４】
2004313564.tif 000006
【図５】
2004313564.tif 000007
【図６】
2004313564.tif 000008
【図７】
2004313564.tif 000009
【図８】
2004313564.tif 000010
【図９】
2004313564.tif 000011
【図１０】
2004313564.tif 000012
【図１１】
2004313564.tif 000013
【図１２】
2004313564.tif 000014
【図１３】
2004313564.tif 000015
【図１４】
2004313564.tif 000016
【図１５】
2004313564.tif 000017
【図１６】
2004313564.tif 000018
【図１７】
2004313564.tif 000019
【図１８】
2004313564.tif 000020
【図１９】
2004313564.tif 000021
【図２０】
2004313564.tif 000022
【図２１】
2004313564.tif 000023